(57)【要約】【課題】湿潤状態や温度状態等を色によって表示できるようにし、適正な液体含浸量又は温度下で使用することができ、充分な美容効果及び心地よい温感又は冷感を確実に得ることができるようにする。【解決手段】フェイスマスク１０の表面における少なくとも一部において使用者が容易に視認できる程度の面積範囲に、湿潤状態又は温度状態によって可逆的に変色する呈色インク５を塗布した。使用者は、フェイスマスク１０の使用時に、フェイスマスク１０の所定の位置の表面色を視認することにより、フェイスマスク１０の温度状態や湿潤状態が適正であるか否かを判別できる。【選択図】図２
2006025847.tif 000002
【特許請求の範囲】
【請求項１】
液体を含浸させて皮膚に載置される化粧用シート体において、状態に応じて変色する呈色インクを、表面に塗布したことを特徴とする化粧用シート体。
【請求項２】
前記呈色インクは、温度に応じて変色することを特徴とする請求項１に記載の化粧用シート体。
【請求項３】
前記呈色インクは、水分量に応じて変色することを特徴とする請求項１に記載の化粧用シート体。
【発明の詳細な説明】
【技術分野】
【０００１】
本発明は、顔の皮膚に美容液を供給する際に、顔面に載置して使用されるウェットマスク等の化粧用シート体に関する。
【背景技術】
【０００２】
従来より、顔の皮膚に美容液を供給する際に使用される美容用具として、化粧用シート体であるフェイスマスクが使われている（例えば、特許文献１参照。）。また、フェイスマスクの使用方法として、美容液を含浸させる前又は含浸させた後に加熱又は冷却することにより、使用時に顔に温感又は冷感を与えることが開示されている（例えば、特許文献２参照。）。
【０００３】
これらのフェイスマスクでは、皮膚に対する充分な美容効果及び心地よい温感又は冷感を与えるために、適量の美容液を含浸させるとともに、適温に維持しなければならない。
【特許文献１】特開２００２−１７２０２２号公報
【特許文献２】特開２００３−１１６９５７号公報
【発明の開示】
【発明が解決しようとする課題】
【０００４】
しかしながら、従来のフェイスマスクでは、使用時における美容液の含浸量が適量であるか否かや温度が適温であるか否かを表示できるようにしたものがなかった。このため、使用者がフェイスマスクに含浸させた美容液量に過不足を生じたり、包装袋から取り出された状態で長時間放置されたフェイスマスクにおける美容液の含浸量が蒸発によって不足する場合や、使用者が加熱又は冷却したフェイスマスクの温度が適温よりも高過ぎたり、低過ぎたりする場合があり、充分な美容効果及び心地よい温感又は冷感を確実に得ることができない問題がある。このような問題は、フェイスマスクだけでなく、美容液等の液体を含浸させたり、加熱又は冷却して使用される化粧用シート体に一般的に生じる。
【０００５】
この発明の目的は、湿潤状態や温度状態等を色によって表示できるようにし、適正な液体含浸量又は温度下で使用することができ、充分な美容効果及び心地よい温感又は冷感を確実に得ることができる化粧用シート体を提供することにある。
【課題を解決するための手段】
【０００６】
この発明の化粧用シート体は、上記の課題を解決するための手段として、以下の構成を備えたものである。
【０００７】
（１）液体を含浸させて皮膚に載置される化粧用シート体において、状態に応じて変色する呈色インクを、表面に塗布したことを特徴とする。
【０００８】
この構成においては、化粧用シート体の状態に応じて表面に塗布された呈色インクが変色する。したがって、表面の色から化粧用シート体の状態が判別される。
【０００９】
（２）前記呈色インクは、温度に応じて変色することを特徴とする。
【００１０】
この構成においては、化粧用シート体の温度状態に応じて表面に塗布された呈色インクが変色する。したがって、表面の色から化粧用シート体の温度が判別される。
【００１１】
（３）前記呈色インクは、水分量に応じて変色することを特徴とする。
【００１２】
この構成においては、化粧用シート体の水分量に応じて表面に塗布された呈色インクが変色する。したがって、表面の色から化粧用シート体の水分量が判別される。
【発明の効果】
【００１３】
この発明の化粧用シート体は、以下の効果を奏するものである。
【００１４】
（１）化粧用シート体の状態に応じて表面に塗布された呈色インクが変色することにより、表面の色から化粧用シート体の状態を判別することができ、使用時に使用の適否を正確に判断できる。
【００１５】
（２）化粧用シート体の温度状態に応じて表面に塗布された呈色インクが変色することにより、表面の色から化粧用シート体の温度を判別することができ、使用時に適温状態であるか否かを正確に判断できる。
【００１６】
（３）化粧用シート体の水分量に応じて表面に塗布された呈色インクが変色することにより、表面の色から化粧用シート体の水分量を判別することができ、使用時に適正な水分量であるか否かを正確に判断できる。
【発明を実施するための最良の形態】
【００１７】
図１は、この発明の実施形態に係る化粧用シート体であるフェイスマスクを示す平面図である。この実施形態に係るフェイスマスク１０は、一例として、人間の顔面に対応した略円形における口、鼻及び目に接触する部分に孔部２Ａ〜２Ｃを形成し、鼻及び目に接触する部分に切込３Ｂを形成し、さらに、周囲の５箇所に切込３Ａを形成したものである。切込３Ａは、平面状のフェイスマスク１０を複数の曲面によって構成される顔の皮膚に密着させるためのものである。また、孔部２Ａ〜２Ｃ及び切込３Ｂは、美容水等を含浸したウェットマスク１０を顔に被せた際に、視界を完全に塞ぐことがなく、かつ、自由に呼吸できるようにするためのものである。
【００１８】
フェイスマスク１０において、孔部２Ｃの下方で切込３Ｂの側方には、呈色インク５が塗布されている。呈色インク５及びその塗布位置については後述する。
【００１９】
図２は、この発明の実施形態に係るフェイスマスクの製造工程を説明する図である。この発明の実施形態に係るフェイスマスクは、以下の工程によって形成される。まず、図２（Ａ）に示すように、不織布、織布又は編布のシート体１から、打ち抜き加工によって孔部２（２Ａ〜２Ｃ）及び切込３（３Ａ，３Ｂ）を含むフェイスマスク１０を打ち抜く。
【００２０】
次に、図２（Ｂ）に示すように、シート体１から打ち抜かれたフェイスマスク１０の表面の所定の位置に、一例として、ノズル６を介して呈色インク５を塗布する。呈色インク５は、温度状態又は湿潤状態に応じて可逆的に変色するインクである。
【００２１】
この後、図２（Ｃ）に示すように、マスクシート４は、フェイスマスク１０として、包装用袋に収納可能な大きさに折り畳まれた後、図２（Ｄ）に示すように、１枚ずつ又は所定枚数積層して包装シート７Ａ及び７Ｂの間に挿入される。包装シート７Ａ及び７Ｂは、両者の間にフェイスマスク１０を挟持した状態で周縁部がシールされた後に、包装用袋７として切断される。
【００２２】
呈色インク５が、温度状態に応じて変色する場合、一例として、２５℃以下の温度のときに青色、４５℃以上の温度ときに赤色になる。これによって、フェイスマスク１０の表面がその温度によって変色し、使用者は表面色を視認することによってフェイスマスク１０の温度を知ることができる。
【００２３】
例えば、フェイスマスク１０を顔に載置した時に冷感を得たい場合、表面が青色を呈するまでフェイスマスク１０を冷却する。また、フェイスマスク１０を顔に載置した時に温感を得たい場合、表面が赤色を呈するまで加熱する。
【００２４】
呈色インク５が、湿潤状態に応じて変色する場合、フェイスマスク１０がその含有水分量に応じて変色し、使用者は表面色を視認することによってフェイスマスク１０の含有随分量知ることができる。これによって、使用者は、表面色を視認することによってフェイスマスク１０に適量の美容液を過不足なく含浸させることができる。また、巣でに美容液を含浸させた状態フェイスマスク１０を露出した状態で放置した場合に、美容液を補充すべきか否かを正確に判断することができる。
【００２５】
呈色インク５は、必ずしもフェイスマスク１０の表面の全面に塗布する必要はなく、少なくとも一部において使用者容易に視認できる程度の面積に塗布されていればよい。したがって、温度状態に応じて変色する呈色インク及び湿潤状態に応じて変色する呈色インクの両方をマスクシート４の表面における互いに異なる部分に塗布することもできる。
【００２６】
フェイスマスク１０の表面の一部に呈色インク５を塗布する場合、包装用袋７を開封した際にフェイスマスク１０が折り畳まれている状態で外側に露出する位置であって、フェイスマスク１０を拡げることなく視認できる位置に呈色インク５を塗布しておくことにより、使用前に温度状態や湿潤状態を素早く認識することができる。フェイスマスク１０に美容液を含浸させたり加熱又は冷却する作業は、フェイスマスク１０を折り畳んだ状態で行われるため、これらの作業を容易に行うことができる。
【００２７】
なお、上記の実施形態では、フェイスマスクを例にあげて説明したが、液体を含浸させたり、加熱又は冷却して使用される他の化粧用シート体についても、この発明を同様に実施することができる。
【図面の簡単な説明】
【００２８】
【図１】この発明の実施形態に係るフェイスマスクを示す平面図である。
【図２】上記フェイスマスクの製造工程を説明する図である。
【符号の説明】
【００２９】
１  シート体
２  孔部
３  切込
５  呈色インク
７  包装用袋
１０  ウェットマスク
【図１】
2006025847.tif 000003
【図２】
2006025847.tif 000004